(57)【要約】【課題】現在の使用状況に適した省電力状態に移行し得る電子機器、方法及びプログラムを提供すること。【解決手段】実施形態によれば、電子機器は、切り替え要求を受けると、複数の設定項目を通常状態から省電力状態に一括して切り替える第１制御手段と、予め設定された時間内における各種サービスの利用履歴を示す履歴情報と、各種サービスと各種サービス利用時に使用可能な各設定項目とを対応付けて示す設定項目使用情報とに基づいて、継続して利用されているサービスに対応する設定項目を省電力状態に切り替えずに通常状態を維持するように第１制御手段を制御する第２制御手段とを具備する。【選択図】図３
2015087910.tif 000002
【特許請求の範囲】
【請求項１】
切り替え要求を受けると、複数の設定項目を通常状態から省電力状態に一括して切り替える第１制御手段と、
予め設定された時間内における各種サービス又は前記各設定項目の利用履歴を示す履歴情報と、前記各種サービスと前記各種サービス利用時に使用可能な前記各設定項目とを対応付けて示す設定項目使用情報とに基づいて、継続して利用されているサービスに対応する設定項目を前記省電力状態に切り替えずに前記通常状態を維持するように前記第１制御手段を制御する第２制御手段と
を具備する電子機器。
【請求項２】
前記第１制御手段は、
前記省電力状態に一括して切り替えるための操作がユーザにより行われた場合、バッテリの残量が予め設定された値より小さくなった場合、及び予め設定された時刻になった場合の少なくとも１つの場合に該当する時に、前記各設定項目を前記省電力状態に一括して切り替える請求項１に記載の電子機器。
【請求項３】
前記第２制御手段は、
ユーザにより指定された設定項目を前記通常状態に維持するように前記第１制御手段を制御する請求項１に記載の電子機器。
【請求項４】
前記第２制御手段は、
継続して利用されているサービスがない場合、前記履歴情報に基づいて、切り替え要求を受ける直前まで前記各種サービスが利用されていたか否かを認識し、
前記各種サービスが切り替え要求を受ける直前まで利用されていたと認識された場合、前記各種サービスに対応する設定項目を前記通常状態に維持するように前記第１制御手段を制御する請求項１に記載の電子機器。
【請求項５】
前記第２制御手段は、
前記各種サービスが切り替え要求を受ける直前まで利用されていないと認識された場合、前記各設定項目を前記省電力状態に一括して切り替えるように前記第１制御手段を制御する請求項４に記載の電子機器。
【請求項６】
切り替え要求を受けると、複数の設定項目を通常状態から省電力状態に一括して切り替えることと、
予め設定された時間内における各種サービスの利用履歴を示す履歴情報と、前記各種サービスと前記各種サービス利用時に使用可能な前記各設定項目とを対応付けて示す設定項目使用情報とに基づいて、継続して利用されているサービスに対応する設定項目を前記省電力状態に切り替えずに前記通常状態を維持するように制御することと
を具備する方法。
【請求項７】
前記一括して切り替えることは、
前記省電力状態に一括して切り替えるための操作がユーザにより行われた場合、バッテリの残量が予め設定された値より小さくなった場合、及び予め設定された時刻になった場合の少なくとも１つの場合に該当する時に行われる請求項６に記載の方法。
【請求項８】
前記制御することは、
ユーザにより指定された設定項目を前記通常状態に維持するように制御する請求項６に記載の方法。
【請求項９】
前記制御することは、
継続して利用されているサービスがない場合、前記履歴情報に基づいて、切り替え要求を受ける直前まで前記各種サービスが利用されていたか否かを認識し、
前記各種サービスが切り替え要求を受ける直前まで利用されていたと認識された場合、前記各種サービスに対応する設定項目を前記通常状態に維持するように制御する請求項６に記載の方法。
【請求項１０】
前記制御することは、
前記各種サービスが切り替え要求を受ける直前まで利用されていないと認識された場合、前記各設定項目を前記省電力状態に一括して切り替えるように制御する請求項９に記載の方法。
【請求項１１】
コンピュータにより実行されるプログラムであって、前記プログラムは前記コンピュータを、
切り替え要求を受けると、複数の設定項目を通常状態から省電力状態に一括して切り替える第１制御手段と、
予め設定された時間内における各種サービスの利用履歴を示す履歴情報と、前記各種サービスと前記各種サービス利用時に使用可能な前記各設定項目とを対応付けて示す設定項目使用情報とに基づいて、継続して利用されているサービスに対応する設定項目を前記省電力状態に切り替えずに前記通常状態を維持するように前記第１制御手段を制御する第２制御手段として動作させるプログラム。
【請求項１２】
前記第１制御手段は、
前記省電力状態に一括して切り替えるための操作がユーザにより行われた場合、バッテリの残量が予め設定された値より小さくなった場合、及び予め設定された時刻になった場合の少なくとも１つの場合に該当する時に、前記各設定項目を前記省電力状態に一括して切り替える請求項１１に記載のプログラム。
【請求項１３】
前記第２制御手段は、
ユーザにより指定された設定項目を前記通常状態に維持するように前記第１制御手段を制御する請求項１１に記載のプログラム。
【請求項１４】
前記第２制御手段は、
継続して利用されているサービスがない場合、前記履歴情報に基づいて、切り替え要求を受ける直前まで前記各種サービスが利用されていたか否かを認識し、
前記各種サービスが切り替え要求を受ける直前まで利用されていたと認識された場合、前記各種サービスに対応する設定項目を前記通常状態に維持するように前記第１制御手段を制御する請求項１１に記載のプログラム。
【請求項１５】
前記第２制御手段は、
前記各種サービスが切り替え要求を受ける直前まで利用されていないと認識された場合、前記各設定項目を前記省電力状態に一括して切り替えるように前記第１制御手段を制御する請求項１４に記載のプログラム。
【発明の詳細な説明】
【技術分野】
【０００１】
本発明の実施形態は、バッテリの消費を抑制する省電力技術に関する。
【背景技術】
【０００２】
一般に、タブレット、ＰＤＡ（Personal Digital Assistant）、スマートフォンといった電子機器は、持ち運び可能なモバイルデバイスとしてしばしば電源に繋がずに使用される。このため、バッテリの消費を抑制する省電力機能が必要である。
【０００３】
しかしながら、従来の省電力機能では、省電力機能が一括してオンにされると、モバイルデバイスの現在の使用状況を考慮せずに省電力状態に移行してしまうため、省電力状態がモバイルデバイスの現在の使用状況に適していないことがある。例えば、動画再生中にバッテリの残量が少なくなり、省電力機能が一括してオンにされると、動画再生中にもかかわらず、画面輝度が低くなってしまうことがある。
【先行技術文献】
【特許文献】
【０００４】
【特許文献１】特開平７−３０６７３６号公報
【発明の概要】
【発明が解決しようとする課題】
【０００５】
本発明の一形態の目的は、現在の使用状況に適した省電力状態に移行し得る電子機器、方法及びプログラムを提供することである。
【課題を解決するための手段】
【０００６】
実施形態によれば、電子機器は、切り替え要求を受けると、複数の設定項目を通常状態から省電力状態に一括して切り替える第１制御手段と、予め設定された時間内における各種サービスの利用履歴を示す履歴情報と、前記各種サービスと前記各種サービス利用時に使用可能な前記各設定項目とを対応付けて示す設定項目使用情報とに基づいて、継続して利用されているサービスに対応する設定項目を前記省電力状態に切り替えずに前記通常状態を維持するように前記第１制御手段を制御する第２制御手段とを具備する。
【図面の簡単な説明】
【０００７】
【図１】図１は、実施形態に係る電子機器の外観の一例を示す斜視図である。
【図２】図２は、電子機器のシステム構成の一例を示すブロック図である。
【図３】図３は、電子機器によって実行される省電力設定プログラムの機能構成を示すブロック図である。
【図４】図４は、電子機器によって用いられる記憶媒体内の設定項目使用テーブルのデータ構造の一例を示す模式図である。
【図５】図５は、電子機器の画面の一例を示す模式図である。
【図６】図６は、電子機器の画面の一例を示す模式図である。
【図７】図７は、電子機器の各種設定項目を通常状態から省電力状態に切り替える処理の一例を示す模式図である。
【図８】図８は、電子機器の各種設定項目を通常状態から省電力状態に切り替える処理の一例を示す模式図である。
【図９】図９は、電子機器の各種設定項目を通常状態から省電力状態に切り替える処理の一例を示す模式図である。
【図１０】図１０は、電子機器の各種設定項目を通常状態から省電力状態に切り替える処理の一例を示す模式図である。
【図１１】図１１は、電子機器によって実行される省電力設定プログラムの処理の一例を示すフローチャートである。
【発明を実施するための形態】
【０００８】
以下、実施の形態について図面を参照して説明する。
【０００９】
図１は、一実施形態に係る電子機器の外観の一例を示す斜視図である。この電子機器は、例えば、ペン又は指によって手書き入力可能なペン・ベースの携帯型電子機器（モバイルデバイス）である。この電子機器は、タブレットコンピュータ、ノートブック型パーソナルコンピュータ、スマートフォン、ＰＤＡ等として実現され得る。以下では、この電子機器がタブレットコンピュータ１０として実現されている場合を説明する。タブレットコンピュータ１０は、タブレット又はストレートコンピュータとも称される携帯型電子機器であり、本体１１は、薄い箱形の筐体を有している。
【００１０】
タッチスクリーンディスプレイ１７は、本体１１の上面に重ね合わせるように取り付けられている。タッチスクリーンディスプレイ１７には、フラットパネルディスプレイと、フラットパネルディスプレイの画面上のペン又は指の接触位置を検出するように構成されたセンサとが組み込まれている。フラットパネルディスプレイは、例えば、液晶表示装置（LCD: Liquid Crystal Display）であってもよい。センサとしては、例えば、静電容量方式のタッチパネル、電磁誘導方式のデジタイザ等を使用することができる。デジタイザとタッチパネルの２種類のセンサの双方がタッチスクリーンディスプレイ１７に組み込まれていてもよく、この場合、タッチスクリーンディスプレイ１７は、指を使用した画面に対するタッチ操作のみならず、ペン１００を使用した画面に対するタッチ操作も検出することができる。ペン１００は例えばデジタイザペン（電磁誘導ペン）であってもよい。
【００１１】
図２は、タブレットコンピュータ１０のシステム構成を示す図である。
【００１２】
タブレットコンピュータ１０は、ＣＰＵ（Central Processing Unit）１０１、システムコントローラ１０２、主メモリ１０３、グラフィックスコントローラ１０４、ＢＩＯＳ−ＲＯＭ１０５、不揮発性メモリ１０６、無線通信デバイス１０７、エンベデッドコントローラ（EC: Embedded Controller）１０８等を備える。
【００１３】
ＣＰＵ１０１は、タブレットコンピュータ１０内の各種モジュールの動作を制御するプロセッサである。ＣＰＵ１０１は、ストレージデバイスである不揮発性メモリ１０６から主メモリ１０３にロードされる各種ソフトウェアを実行する。これらソフトウェアには、オペレーティングシステム（OS: Operating System）２０１及び各種ユーティリティプログラムが含まれている。各種ユーティリティプログラムには、省電力設定プログラム２０２が含まれている。この省電力設定プログラム２０２は、タブレットコンピュータ１０を通常状態から省電力状態に一括して設定する処理を支援し得るユーティリティプログラムである。省電力状態とは、通常状態にくらべて、タブレットコンピュータ１０のバッテリの消費を抑制することができる状態である。
【００１４】
ＣＰＵ１０１は、ＢＩＯＳ−ＲＯＭ１０５に格納された基本入出力システム（ＢＩＯＳ）も実行する。ＢＩＯＳはハードウェア制御のためのプログラムである。
【００１５】
システムコントローラ１０２は、ＣＰＵ１０１のローカルバスと各種コンポーネント・モジュールとの間を接続するデバイスである。システムコントローラ１０２には、主メモリ１０３をアクセス制御するメモリコントローラも内蔵されている。システムコントローラ１０２には、ＰＣＩ  ＥＸＰＲＥＳＳ規格のシリアルバス等を介してグラフィックスコントローラ１０４との通信を実行する機能も有している。
【００１６】
グラフィックスコントローラ１０４は、タブレットコンピュータ１０のディスプレイモニタとして使用されるＬＣＤ１７Ａを制御する表示コントローラである。グラフィックスコントローラ１０４によって生成される表示信号はＬＣＤ１７Ａに送られる。ＬＣＤ１７Ａは、表示信号に基づいて画面イメージを表示する。タッチパネル１７Ｂ、ＬＣＤ１７Ａ及びデジタイザ１７Ｃは互いに重ね合わされている。タッチパネル１７Ｂは、ＬＣＤ１７Ａの画面上で入力を行うための静電容量方式のポインティングデバイスである。指が接触される画面上の接触位置及び当該接触位置の動き等は、タッチパネル１７Ｂによって検出される。デジタイザ１７Ｃは、ＬＣＤ１７Ａの画面上で入力を行うための電磁誘導方式のポインティングデバイスである。ペン１００が接触される画面上の接触位置及び当該接触位置の動き等は、デジタイザ１７Ｃによって検出される。
【００１７】
無線通信デバイス１０７は、無線ＬＡＮ（Local Area Network）又は３Ｇ移動通信等の無線通信を実行するように構成されたデバイスである。ＥＣ１０８は、電力管理のためのエンベデッドコントローラを含むワンチップマイクロコンピュータである。ＥＣ１０８は、ユーザによるパワーボタンの操作に応じて本タブレットコンピュータ１０を電源オン又は電源オフする機能を有している。
【００１８】
次に、図３を参照して、省電力設定プログラム２０２の機能構成について説明する。
【００１９】
図３は、省電力設定プログラムの機能構成の一例を示す模式図である。この省電力設定プログラム２０２は、図３に示すように、記憶媒体３０１に適宜接続できるように構成され、履歴情報入力部４０１、省電力設定制御部４０２、省電力設定適用部４０３及び作業メモリ３０２等を備えている。省電力設定制御部４０２は、図３に示すように、履歴情報取得部４０２Ａ及び省電力設定適用制御部４０２Ｂを含む。
【００２０】
記憶媒体３０１は、各種サービスと、各種サービス利用時に使用可能な設定項目とを対応付けて示す設定項目使用情報（以下、設定項目使用テーブルと表記）を記憶する記憶媒体である。この記憶媒体３０１は、タブレットコンピュータ１０内のストレージデバイスではなく、タブレットコンピュータ１０に接続される外部ストレージデバイスであってもよい。各種サービスとは、タブレットコンピュータ１０に予めインストールされているアプリケーションや、ユーザによってインストールされたアプリケーション等を示す。タブレットコンピュータ１０に予めインストールされているアプリケーションとしては、例えば、Ｗｅｂ（World Wide Web）ブラウザ、地図アプリケーション、音楽再生アプリケーション、動画再生アプリケーション、電子書籍アプリケーション等がある。また、ユーザによってインストールされたアプリケーションとしては、動画共有サービス（動画投稿サイト）やＳＮＳ（Social Networking Service）に接続するためのアプリケーション等がある。なお、本実施形態では、各種サービスとして上記した各種アプリケーションを例示したが、各種サービスは上記した各種アプリケーションとは異なるアプリケーションを含んでいても構わない。
【００２１】
各種サービス利用時に使用可能な設定項目とは、これらサービスを利用する際に使用可能なタブレットコンピュータ１０の各種機能を示す。具体的には、Ｗｉ−Ｆｉ（登録商標）機能、動画機能、画面設定機能、ＧＰＳ（Global Positioning System）機能等がある。Ｗｉ−Ｆｉ機能とは、ネットワーク（例、インターネット等）からデータを取得する際に使用可能な機能である。動画機能とは、動画を再生する際に使用可能な機能（例、動画再生用デコーダ等）である。画面設定機能とは、画面輝度やスリープ状態に移行するまでの時間を調整する際に使用可能な機能である。さらに、ＧＰＳ機能とは、位置情報を取得する際に使用可能な機能である。これら各種機能は、オン（On）されることで有効となり、オフ（Off）されることで無効となる。なお、本実施形態では、各種設定項目として上記した各種機能を例示したが、各種設定項目は上記した各種機能とは異なる機能含んでいても構わない。
【００２２】
ここで、図４を参照して、上記した設定項目使用テーブルについて詳しく説明する。
【００２３】
図４は、設定項目使用テーブルの一例を示す模式図である。図中の丸印は、所定のサービス利用時に、対応付けられた設定項目が所定のサービスのメイン機能のために使用可能であることを示している。例えば、Ｗｅｂブラウザ利用時には、各種設定項目のうち、Ｗｉ−Ｆｉ機能が使用可能であることが示されている。また、動画共有サービス利用時には、各種設定項目のうち、Ｗｉ−Ｆｉ機能、動画機能及び画面設定機能が使用可能であることが示されている。地図アプリケーション利用時には、各種設定項目のうち、Ｗｉ−Ｆｉ機能、画面設定機能及びＧＰＳ機能が使用可能であることが示されている。動画再生アプリケーション利用時には、各種設定項目のうち、動画機能及び画面設定機能が使用可能であることが示されている。電子書籍アプリケーション利用時には、各種設定項目のうち、Ｗｉ−Ｆｉ機能及び画面設定機能が使用可能であることが示されている。さらに、ＳＮＳ利用時には、各種設定項目のうち、Ｗｉ−Ｆｉ機能が使用可能であることが示されている。以上のように、設定項目使用テーブルは、各種サービスのメイン機能のために有効にする設定項目を特定することができる。
【００２４】
なお、図中の括弧付きの丸印は、所定のサービス利用時に、対応付けられた設定項目が所定のサービスのメイン機能のためには使用されないものの、当該サービスを利用する際に使用してもよい設定項目であることを示している。例えば、音楽再生アプリケーション利用時には、音楽再生アプリケーションのメイン機能である音楽再生機能のためには各種設定項目は使用されないものの、音楽再生アプリケーションのサブ機能の１つである音楽ダウンロード機能のためには、各種設定項目のうち、Ｗｉ−Ｆｉ機能が使用可能であることが示されている。このように、設定項目使用テーブルは、各種サービスのサブ機能のために有効にする設定項目を特定することもできる。なお、本実施形態では、設定項目使用テーブルが、各種サービスのメイン機能のために有効にする設定項目を特定するために用いられる場合を想定して説明するが、上記したように、設定項目使用テーブルは、各種サービスのサブ機能のために有効にする設定項目をさらに特定するために用いられてもよいし、上記サブ機能のために有効にする設定項目だけを特定するために用いられてもよい。
【００２５】
履歴情報入力部４０１は、予め設定された時間（例、３０分間、１時間等）内における各種サービス又は各種設定項目の利用履歴（使用履歴）を示す履歴情報の入力を受け付ける。具体的には、履歴情報とは、利用されたアプリケーションの起動時間、当該アプリケーションの起動に応じて使用可能な機能を有効にした時間、及び当該機能を有効にした後に当該機能を実際に使用した時間（例えば、Ｗｉ−Ｆｉ機能を使用してネットワークにアクセスした時間）等を示す。この履歴情報は、例えば、各種サービスが利用される度に、各種設定項目が有効あるいは無効になる度に、又は各種設定項目が実際に使用される度に、所謂ログとしてＯＳ２０１から出力される。例えば、Ｗｅｂブラウザが起動されると、Ｗｅｂブラウザを起動した時間を示す履歴情報がＯＳ２０１から履歴情報入力部４０１に出力される。また、Ｗｅｂブラウザの起動と共にＷｉ−Ｆｉ機能が有効になると、Ｗｉ−Ｆｉ機能を有効にした時間を示す履歴情報がＯＳ２０１から履歴情報入力部４０１に出力される。さらに、Ｗｉ−Ｆｉ機能を使用して所定のＷｅｂページを閲覧するためにＷｅｂページ情報が取得されると、ネットワークにアクセスした時間を示す履歴情報がＯＳ２０１から履歴情報入力部４０１に出力される。このように、履歴情報は、各種サービスや各種設定項目が用いられたことに応じて適宜出力される情報である。それ故、例えば、ユーザが既に取得したＷｅｂページ情報により示されるＷｅｂページをＷｅｂブラウザを介して閲覧しているだけでは、新たな履歴情報はＯＳ２０１から出力されない。
【００２６】
履歴情報入力部４０１は、入力を受け付けた履歴情報を作業メモリ３０２に適宜書込む（すなわち、一時的に保存する）。なお、作業メモリ３０２に保存される履歴情報は、所定の時間毎に削除される。
【００２７】
履歴情報取得部４０２Ａは、通常状態から省電力状態に一括して切り替えるための切り替え要求の入力を受け付けると、当該切り替え要求に応じて、予め設定された時間内の利用履歴を示す履歴情報を作業メモリ３０２から取得する。取得された履歴情報は、省電力設定適用制御部４０２Ｂに送られる。切り替え要求は、省電力状態に一括して切り替えるための操作がユーザによって行われた場合や、タブレットコンピュータ１０のバッテリの残量が予め設定された閾値より小さくなった場合、予め設定された時刻（例、タブレットコンピュータ１０の利用頻度が少ない時刻等）になった場合にＯＳ２０１から出力される。
【００２８】
ここで、図５及び図６を参照して、ユーザによって行われる省電力状態に一括して切り替えるための操作の一例について説明する。
【００２９】
図５は、タブレットコンピュータの画面の一例を示す模式図である。図５に示す画面は、例えば、タブレットコンピュータ１０のホーム画面に配置されるSettingsアイコンを指又はペン１００を用いてタップすることで表示される画面である。ユーザは、この画面上のPower Managementアイコンを指又はペン１００を用いてタップして省電力設定に関する画面を表示させた後に、省電力設定に切り替えるためのPOWER SAVEボタンを選択し、Applyボタンをタップすることで、ＯＳ２０１に切り替え要求を出力させることができる。
【００３０】
同様に、図６は、タブレットコンピュータの画面の別の例を示す模式図である。図６に示す画面は、例えば、動画再生中に、タブレットコンピュータ１０の画面上方に配置されるQuick Settingsトレイを引き出すことで表示される画面である。ユーザは、この画面上のPower Managementアイコンを指又はペン１００を用いてタップすることで、ＯＳ２０１に切り替え要求を出力させることができる。
【００３１】
省電力設定適用制御部４０２Ｂは、履歴情報取得部４０２Ａから送られる履歴情報と、記憶媒体３０１に記憶された設定項目使用テーブルとに基づいて、継続して利用されているサービスに対応する設定項目を省電力状態に切り替えずに、通常状態に維持するように省電力設定適用部４０３を制御する。なお、省電力設定適用制御部４０２は、ユーザにより指定された設定項目を省電力状態に切り替えずに、通常状態に維持するように省電力設定適用部４０３を制御してもよい。すなわち、通常状態を維持する設定項目の詳細は、ユーザが適宜設定可能である。
【００３２】
ここで、図７及び図８を参照して、省電力設定適用制御部４０２Ｂの処理について詳しく説明する。
【００３３】
図７は、省電力設定適用制御部の動作の一例を示す模式図である。ここでは、図７に示すように、動画再生中の時間ｔ１に切り替え要求がＯＳ２０１から出力された場合を想定する。動画再生中であるため、動画再生アプリケーションが動画機能を使用し続けており、作業メモリ３０２には、動画再生アプリケーションが動画機能を使用した直近の時間ｔ１を示す履歴情報が少なくとも保存されている。
【００３４】
この場合、まず省電力設定適用制御部４０２Ｂは、履歴情報取得部４０２Ａによって取得され、動画再生アプリケーションが動画機能を使用した時間ｔ１を示す履歴情報の入力を受け付ける。そして、省電力設定適用制御部４０２Ｂは、当該履歴情報から動画再生アプリケーションが継続して利用されていることを認識する。その後、省電力設定適用制御部４０２Ｂは、設定項目使用テーブルを参照して、動画再生アプリケーション利用時に使用可能な設定項目を特定する。この場合、動画再生アプリケーション利用時に使用可能な設定項目として、動画機能及び画面設定機能が特定される。そして、省電力設定適用制御部４０２Ｂは、動画機能及び画面設定機能は省電力状態に切り替えずに通常状態を維持させつつ、その他の機能（この場合、Ｗｉ−Ｆｉ機能及びＧＰＳ機能）は省電力状態に切り替えるように省電力設定適用部４０３を制御する。
【００３５】
図７と同様に、図８は、省電力設定適用制御部の動作の一例を示す模式図である。ここでは、図８に示すように、継続して利用されている各種サービスがない時間ｔ１に切り替え要求がＯＳ２０１から出力された場合を想定する。継続して利用されているサービスがないため、作業メモリ３０２には、履歴情報は保存されていない。
【００３６】
この場合、まず省電力設定適用制御部４０２Ｂは、履歴情報取得部４０２Ａによって取得される履歴情報がないため、いずれのサービスも継続して利用されていないことを認識する。その後、省電力設定適用制御部４０２Ｂは、いずれのサービスも継続して利用されていないため、切り替え要求に従って各種設定項目を通常状態から省電力状態に一括して切り替えるように省電力設定適用部４０３を制御する。
【００３７】
なお、本実施形態では、省電力設定適用制御部４０２Ｂは、予め設定された時間内に各種サービス又は各種設定項目が利用された旨の履歴情報がある場合に、当該履歴情報に関するサービスが継続して利用されていると認識としたが、継続して利用されているサービスを認識する方法は別の方法であっても構わない。以下に、図９及び図１０を参照して、その一例を説明する。
【００３８】
図９は、省電力設定適用制御部の動作の一例を示す模式図である。ここでは、図９に示すように、Ｗｅｂブラウジング中の時間ｔ１に切り替え要求がＯＳ２０１から出力された場合を想定する。作業メモリ３０２には、ＷｅｂブラウザがＷｉ−Ｆｉ機能を使用した直近の時間ｔ２を示す履歴情報が保存されている。なお、時間ｔ２は切り替え要求が出力された時間ｔ１より相当前の時間であるものとする。
【００３９】
この場合、まず省電力設定適用制御部４０２Ｂは、履歴情報取得部４０２Ａによって取得され、ＷｅｂブラウザがＷｉ−Ｆｉ機能を使用した時間ｔ２を示す履歴情報の入力を受け付ける。そして、省電力設定適用制御部４０２Ｂは、当該履歴情報から継続して利用されているサービスがないことを認識する。
【００４０】
具体的には、履歴情報により示される時間ｔ２は、切り替え要求が出力された時間ｔ１より相当前の時間であるため、省電力設定適用制御部４０２Ｂは、切り替え要求が出力された時間ｔ１には、既にＷｅｂブラウザの利用が終了し、継続して利用されているサービスがないものと認識する。このように、履歴情報取得部４０２Ａによって取得される直近の履歴情報により示される時間が、切り替え要求出力時の時間に近い程、当該履歴情報への重みづけを大きくし、切り替え要求出力時の時間に遠い程、当該履歴情報への重みづけを小さくしてもよい。これにより、省電力設定適用制御部４０２Ａは、継続して利用されているサービスをより正確に認識することができる。
【００４１】
省電力設定適用制御部４０２Ｂは、上記したようにして、いずれのサービスも継続して利用されていないことを認識すると、切り替え要求に従って各種設定項目を通常状態から省電力状態に一括して切り替えるように省電力設定適用部４０３を制御する。
【００４２】
図９と同様に、図１０は、省電力設定適用制御部の動作の一例を示す模式図である。ここでは、図１０に示すように、Ｗｅｂブラウジング中の時間ｔ１に切り替え要求がＯＳ２０１から出力された場合を想定する。作業メモリ３０２には、ＷｅｂブラウザがＷｉ−Ｆｉ機能を使用した直近の時間ｔ３を示す履歴情報が保存されている。なお、時間ｔ３は切り替え要求が出力された時間ｔ１の少し前の時間であるものとする。
【００４３】
この場合、まず省電力設定適用制御部４０２Ｂは、履歴情報取得部４０２Ａによって取得され、ＷｅｂブラウザがＷｉ−Ｆｉ機能を使用した時間ｔ３を示す履歴情報の入力を受け付ける。そして、省電力設定適用制御部４０２Ｂは、当該履歴情報からＷｅｂブラウザが継続して利用されていることを認識する。
【００４４】
具体的には、履歴情報により示される時間ｔ３は、切り替え要求が出力された時間ｔ１より少し前の時間であるため、省電力設定適用制御部４０２Ｂは、切り替え要求出力時の履歴情報はないものの、まだＷｅｂブラウジング中である可能性を考慮して、Ｗｅｂブラウザが継続して利用されているサービスであると認識する。その後、省電力設定適用制御部４０２Ｂは、設定項目使用テーブルを参照して、Ｗｅｂブラウザ利用時に使用可能な設定項目を特定する。この場合、Ｗｅｂブラウザ利用時に使用可能な設定項目として、Ｗｉ−Ｆｉ機能が特定される。そして、省電力設定適用制御部４０２Ｂは、Ｗｉ−Ｆｉ機能は省電力状態に切り替えずに通常状態を維持させつつ、その他の機能（この場合、動画機能、画面設定機能及びＧＰＳ機能）は省電力状態に切り替えるように省電力設定適用部４０３を制御する。
【００４５】
以上が、省電力設定適用制御部４０２Ｂの詳細である。
【００４６】
省電力設定適用部４０３は、省電力設定適用制御部４０２Ｂの制御に従って、各種設定項目を通常状態から省電力状態に一括して切り替える。
【００４７】
次に、図１１を参照して、省電力設定プログラム２０２によって実行される処理の処理手順について説明する。ここでは、切り替え要求がＯＳ２０１から省電力設定プログラム２０２に向けて出力された場合を想定する。
【００４８】
始めに、履歴情報取得部４０２Ａは、ＯＳ２０１から出力された切り替え要求の入力を受け付けると、作業メモリ３０２に一時的に保存された履歴情報を取得する。取得された履歴情報は、省電力設定適用制御部４０２Ｂに送られる（ブロック１００１）。続いて、省電力設定適用制御部４０２Ｂは、履歴情報取得部４０２Ａから送られた履歴情報の入力を受け付けると、当該履歴情報に基づいて継続して利用されているサービスがあるか否かを認識する（ブロック１００２）。なお、ブロック１００２の処理において、継続して利用されているサービスがないと認識された場合（ブロック１００２のＮＯ）、後述するブロック１００５の処理に進む。
【００４９】
ブロック１００２の処理において、継続して利用されているサービスがあると認識された場合（ブロック１００２のＹＥＳ）、省電力設定適用制御部４０２Ｂは、設定項目使用テーブルを参照して、継続して利用されているサービス利用時に使用可能な設定項目を特定する（ブロック１００３）。その後、省電力設定適用制御部４０２Ｂは、特定した設定項目を通常状態に維持させつつ、その他の設定項目を一括して省電力状態に切り替えるように省電力設定適用部４０３を制御する（ブロック１００４）。
【００５０】
しかる後、省電力設定適用部４０３は、省電力設定適用制御部４０２Ｂの制御に従って、各種設定項目を通常状態から省電力状態に一括して切り替える。すなわち、省電力設定適用部４０３は、省電力設定適用制御部４０２Ｂの制御に従って、通常状態を維持するとされた設定項目は通常状態のままとし、その他の各種設定項目を一括して省電力状態に切り替える（ブロック１００５）。
【００５１】
以上説明した一実施形態によれば、タブレットコンピュータ１０は、各種設定項目を一括して切り替えるための切り替え要求を受けたとしても、履歴情報と設定項目使用テーブルとに基づいて、継続して利用されているサービスに対応する設定項目を通常状態に維持させることができる省電力設定プログラム２０２を備える。すなわち、現在の使用状況に適した省電力状態に移行させることができる。
【００５２】
なお、本実施形態の処理は、コンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【００５３】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１０…タブレットコンピュータ、１１…本体、１７…フラットパネルディスプレイ、１０１…ＣＰＵ、１０２…システムコントローラ、１０３…主メモリ、１０４…グラフィックスコントローラ、１０５…ＢＩＯＳ−ＲＯＭ、１０６…不揮発性メモリ、１０７…無線通信デバイス、１０８…エンベデッドコントローラ、２０１…オペレーティングシステム、２０２…省電力設定プログラム、３０１…記憶媒体、３０２…作業メモリ、４０１…履歴情報入力部、４０２…省電力設定制御部、４０２Ａ…履歴情報取得部、４０２Ｂ…省電力設定適用制御部、４０３…省電力設定適用部。
【図１】
2015087910.tif 000003
【図２】
2015087910.tif 000004
【図３】
2015087910.tif 000005
【図４】
2015087910.tif 000006
【図５】
2015087910.tif 000007
【図６】
2015087910.tif 000008
【図７】
2015087910.tif 000009
【図８】
2015087910.tif 000010
【図９】
2015087910.tif 000011
【図１０】
2015087910.tif 000012
【図１１】
2015087910.tif 000013